【手続補正書】
【提出日】平成31年3月18日(2019.3.18)
【手続補正１】
【補正対象書類名】特許請求の範囲
【補正対象項目名】全文
【補正方法】変更
【補正の内容】
【特許請求の範囲】
【請求項１】
弾性不織布を製造するための装置であって、
第１接着モジュールと、
前記第１接着モジュールに近接して配置可能な第２接着モジュールとを含み、
前記第１接着モジュール及び前記第２接着モジュールの１つは、幅寸法と円周中心軸とを含むフェイスを有し、前記フェイスは、複数の互いに離間したランド及びノッチを画定する複数のリッジを有し、
前記ノッチは、前記円周中心軸に実質的に平行な方向を向いて延びていることを特徴とする装置。
【請求項２】
請求項１に記載の装置であって、
前記リッジは、前記円周中心軸を斜めに横切って延在することを特徴とする装置。
【請求項３】
請求項１に記載の装置であって、
前記リッジは、前記フェイスの前記幅寸法の、実質的に全体を横切って延在することを特徴とする装置。
【請求項４】
請求項１に記載の装置であって、
前記フェイス上で隣接する全てのリッジの対が、前記円周中心軸に沿って相互に、実質的に等間隔で離間されていることを特徴とする装置。
【請求項５】
請求項１に記載の装置であって、
前記円周中心軸に沿って約２．５４ｍｍ〜約２５．４０ｍｍで測定される間隔を、１対の隣接するリッジが有することを特徴とする装置。
【請求項６】
請求項５に記載の装置であって、
前記間隔は、約５．０８ｍｍ〜約１２．７０ｍｍであることを特徴とする装置。
【請求項７】
請求項１に記載の装置であって、
前記フェイス上のすべてのノッチは、実質的に同じサイズであることを特徴とする装置。
【請求項８】
請求項１に記載の装置であって、
前記ノッチの１つが、一対の隣接する前記ランドの横側に位置し、前記隣接するランドのそれぞれがピークを有することにより、前記ノッチの１つが前記隣接するランドの前記ピークにおいて約０．１５ｍｍ〜約０．４１ｍｍで測定される幅を有することを特徴とする装置。
【請求項９】
請求項８に記載の装置であって、
前記幅は、約０．２０ｍｍ〜約０．３０ｍｍであることを特徴とする装置。
【請求項１０】
請求項１に記載の装置であって、
前記ノッチの１つが、一対の隣接する前記ランドの横側に位置し、前記隣接するランドのそれぞれがピークを有することにより、前記ノッチの１つが前記隣接するランドの前記ピークにおいて約０．１３ｍｍ〜約０．５１ｍｍで測定される深さを有することを特徴とする装置。
【請求項１１】
請求項１０に記載の装置であって、
前記深さは、約０．１８ｍｍ〜約０．２５ｍｍであることを特徴とする装置。
【請求項１２】
請求項１に記載の装置であって、
前記ノッチの１つが、一対の隣接する前記ランドの横側に位置し、前記隣接するランドのそれぞれがピークを有することにより、前記ノッチの１つが前記隣接するランドの前記ピークにおいて約０．２５ｍｍ〜約６．３５ｍｍで測定される幅を有することを特徴とする装置。
【請求項１３】
請求項１２に記載の装置であって、
前記幅は、約０．７６ｍｍ〜約１．５２ｍｍであることを特徴とする装置。
【請求項１４】
請求項１３に記載の装置であって、
前記幅は、約０．８９ｍｍであることを特徴とする装置。
【請求項１５】
請求項１に記載の装置であって、
前記ランドはそれぞれピークを有し、前記ランドの１つは、約０．２５ｍｍ〜約６．３５ｍｍのピークで測定される長さを有することを特徴とする装置。
【請求項１６】
請求項１５に記載の装置であって、
前記長さは、約０．７６ｍｍ〜約１．５２ｍｍであることを特徴とする装置。
【請求項１７】
請求項１に記載の装置であって、
前記ランドはそれぞれピークを有し、前記ランドの１つは、約０．２０ｍｍ〜約１．２７ｍｍのピークで測定される幅を有することを特徴とする装置。
【請求項１８】
請求項１７に記載の装置であって、
前記幅は、約０．７６ｍｍ〜約１．５２ｍｍであることを特徴とする装置。
【請求項１９】
請求項１に記載の装置であって、
前記第１接着モジュール及び前記第２接着モジュールの他方は、実質的に連続した輪郭を有するフェイスを有することを特徴とする装置。
【請求項２０】
請求項１に記載の装置であって、
前記フェイスは、第１サイズのノッチを画定するリッジを含む第１周方向領域と、第１サイズと異なる第２サイズのノッチを画定するリッジを含む第２周方向領域とを有することを特徴とする装置。
【請求項２１】
請求項２０に記載の装置であって、
前記フェイスは、互いに離間した一対の前記第１周方向領域と、互いに離間した一対の前記第２周方向領域とを画定することを特徴とする装置。
【請求項２２】
請求項１に記載の装置であって、
前記フェイスは、前記リッジが第１サイズのノッチを画定する第１幅方向セグメントと、前記リッジが第１サイズと異なる第２サイズのノッチを画定する第２幅方向セグメントとを有することを特徴とする装置。
【請求項２３】
請求項１に記載の装置であって、
前記リッジは、前記円周中心軸を横切って実質的に直線的に延在することを特徴とする装置。
【請求項２４】
請求項１に記載の装置であって、
前記リッジは、前記円周中心軸を横切って非直線的に延在することを特徴とする装置。
【請求項２５】
請求項２４に記載の装置であって、
前記リッジは、前記円周中心軸を横切って実質的に弓状に延在することを特徴とする装置。
【請求項２６】
請求項１に記載の装置であって、
前記第１接着モジュールと前記第２接着モジュールとを変位可能に接続することにより、前記装置の接着作業中に前記第１接着モジュール及び前記第２接着モジュールの少なくとも１つを、他方に対して循環的に変位させるカムデバイスを更に含むことを特徴とする装置。
【請求項２７】
請求項１に記載の装置であって、
前記第１接着モジュールは、第１接着モジュールフレームに取り付けられ、
前記第２接着モジュールは、第２接着モジュールフレームに取り付けられ、かつ前記第１接着モジュールに近接して配置可能であり、
前記装置は、
前記第２接着モジュールに浮動的に接触すべく、前記第１接着モジュールフレーム及び前記第２接着モジュールフレームの１つに取り付けられるピンチデバイスを更に含むことを特徴とする装置。
【請求項２８】
請求項１に記載の装置であって、
前記第１接着モジュールは、回転式の超音波ホーンを含むことを特徴とする装置。
【請求項２９】
請求項２８に記載の装置であって、
前記第２接着モジュールは、回転式のアンビルを含むことを特徴とする装置。
【請求項３０】
供給ステーションと、処理ステーションとを有する弾性不織布を製造するためのシステムであって、
前記供給ステーションは、
第１不織布を供給するように構成された第１供給ロールと、
第２不織布を供給するように構成された第２供給ロールと、
弾性ストランドを供給するように構成された、少なくとも１つの供給スプールとを含み、
前記処理ステーションは、
第１接着モジュールと、
前記第１接着モジュールと協働して、前記第１不織布と前記第２不織布との間に前記弾性ストランドを接着する接着操作を行うべく構成され、前記第１接着モジュールに近接して配置可能な第２接着モジュールとを含み、
前記第１接着モジュール及び前記第２接着モジュールの１つは、幅寸法と円周中心軸とを含むフェイスを有し、前記フェイスは、複数の互いに離間したランド及びノッチを画定する複数のリッジを有し、
前記ノッチは、前記円周中心軸に実質的に平行な方向を向いて延びていることを特徴とするシステム。
【請求項３１】
処理ステーションと、収集ステーションとを有する弾性不織布を製造するためのシステムであって、
前記処理ステーションは、
第１接着モジュールと、
前記第１接着モジュールと協働して、第１不織布と第２不織布との間に弾性ストランドを接着する接着操作を行うべく構成され、前記第１接着モジュールに近接して配置可能な第２接着モジュールとを含み、
前記第１接着モジュール及び前記第２接着モジュールの１つは、幅寸法と円周中心軸とを含むフェイスを有し、前記フェイスは、複数の互いに離間したランド及びノッチを画定する複数のリッジを有し、
前記ノッチは、前記円周中心軸に実質的に平行な方向を向いて延びており、
前記収集ステーションは、
前記弾性不織布を収集するべく構成されたプラーロールを含むことを特徴とするシステム。